(57)【要約】【課題】本発明は、スーツやジャケットの如く胸元のあく衣類の下に、ブラウスやワイシャツに代えて着用できる服飾用簡易インナーを提供する。【解決手段】本発明に係る服飾用簡易インナーは、帯状の長尺布地３をほぼ中央部３ａから屈曲し、一方の片辺部３ｂの表側Ａを上にして他方の片辺部３ｃの表側Ａに斜めに重ね、該重ね部４の端縁同士を縫着５したことを特徴とし、屈曲した中央部を頸に掛け、その両方の片辺部の重ね部４の縫着５した端縁が、顎の真下になるようにすると、胸元のあくスーツやジャケットの胸元の開きを埋めるとともに、ブラウスやワイシャツを着用しているように見えるように構成した。【選択図】図１
2015078472.tif 000002
【特許請求の範囲】
【請求項１】
帯状の長尺布地をほぼ中央部から屈曲し、一方の片辺部の表側を上にして他方の片辺部の表側に斜めに重ね、該重ね部の端縁同士を縫着したことを特徴とする服飾用簡易インナー。
【請求項２】
前記両片辺部の表側が、フリル、ボータイ等の装飾物で飾られていることを特徴とする請求項１に記載の服飾用簡易インナー。
【発明の詳細な説明】
【技術分野】
【０００１】
本発明は、スーツやジャケットの如く胸元のあく衣類の下に、ブラウスやワイシャツに代えて着用できる服飾用簡易インナーに関するものである。
【背景技術】
【０００２】
一般に、スーツやジャケットの如く胸元のあく衣類では、インナーとしてブラウスやワイシャツが着用されることが多い。ところが、ブラウスやワイシャツは胸元の開いた個所を埋める前身頃があったばかりでなく、袖（腕を覆う部分）やウエスト回りの余分な布があることから全体的には嵩張るものであった。この嵩張りを避けるために実用新案登録第３０４１６９６号が提案されていた。これは肩部から胸元部までを覆う襟付きの前見頃布と、肩部から背上部までを覆う後見頃布とを、肩部で縫着してなるもので、袖やウエスト回りの余分な布を排除した点に特徴がある。
【特許文献１】実用新案登録第３０４１６９６号公報
【発明の開示】
【発明が解決しようとする課題】
【０００３】
しかしながら、上記実用新案登録第３０４１６９６号公報のものは、肩部で縫着した前見頃布や後見頃布だけのものは、スーツやジャケットのインナーとして着用した場合、袖やウエスト回りがないので、スーツやジャケットの内面に良く馴染まず、前見頃布や後見頃布がめくれたり、折れたり、ズレたりすることがあった。また、体着具（ゴム紐や布紐など）を備えなければ、前見頃布や後見頃布を身体に固定することもできず、ブラウスやワイシャツのようにふんわりとした着心地が得られなかったし、スーツやジャケットの胸元のあく衣類のインナーとして着用したときに、ブラウスやワイシャツを着用しているようには見え難いものであった。
【０００４】
本発明は、上記課題を解決するもので、その目的とするところは、スーツやジャケットの胸元のあく衣類のインナーとして着用して胸元の開きをしっかり埋めつつ嵩張ることがなく、しかも、ブラウスやワイシャツのようにふんわりとした着心地が得られる服飾用簡易インナーを提供することにある。
【課題を解決するための手段】
【０００５】
上記目的を達成するため、本発明に係る服飾用簡易インナーは、帯状の長尺布地をほぼ中央部から屈曲し、一方の片辺部の表側を上にして他方の片辺部の表側に斜めに重ね、該重ね部の端縁同士を縫着したことを特徴とし、屈曲した中央部を首に掛け、その両方の片辺部の重ね部の縫着した端縁が顎の真下になるようにすると、胸元のあくスーツやジャケットの胸元の開きを埋めるとともに、ブラウスやワイシャツを着用しているように見えるように構成した。
【０００６】
また、請求項２に記載の服飾用簡易インナーは、前記両片辺部の表側が、フリル、ボータイ等の装飾物で飾られていることを特徴とし、スーツやジャケットの胸元を装飾物で華やかに、また、清楚に飾れるように構成した。
【発明の効果】
【０００７】
本発明によれば、屈曲した中央部を頸に掛け、両片辺部を胸側に垂らし、縫着した端縁を顎の真下になるように整え、その上からスーツやジャケットを着用すると、胸元の開きを埋めるとともに、ブラウスやワイシャツをインナーとして着用している如く見える上に嵩張ることがなく、ふんわりとした着心地が得られる。しかも、両片辺部の表側が斜めに重ねられ、かつ、端縁が縫着されているため、スーツやジャケットとの摩擦で装飾物が首の周囲を回るようにズレ動くということがないなど各種の優れた効果を奏するものである。
【０００８】
また、請求項２の発明によれば、前記両片辺部の表側が、フリル、ボータイ等の装飾物で飾られているので、例えば、装飾物をフリルにしたときはスーツやジャケットの胸元をフリルで華やかに飾ることができるし、装飾物をボータイにしたときはリボンに結ぶことによりスーツやジャケットの胸元を清楚に飾ることができ、また、フリル、ボータイ以外の他の装飾物にしたときはフリル、ボータイでは得られない別の趣きが表現できるなど各種の優れた効果を奏するものである。
【発明を実施するための最良の形態】
【０００９】
次に、本発明の実施の態様について図面を参照して説明する。図１は本願インナーをジャケットの下に着用した状態を示す一部切欠斜視図、図２は帯状の長尺生地の中央域を底辺としてその両脇から逆三角状に折った状態を示す平面図、図３は帯状の長尺生地の端部を輪（環状）した場合の斜視図、図４は両辺部にフリルを施した場合の斜視図で（ａ）襞状のフリル（ｂ）は昆布状のフリル、図５は両辺部にボータイを施した場合の斜視図で（ａ）結び前（ｂ）結び後である。
【００１０】
図において、１は本願インナーで、該本願インナー１は、胸元のあく衣類であるジャケット（スーツ上下の場合も同じ）２の下（肌着２′の上）に着用している。これによりジャケット２の胸元のあきが埋められ、該あきから前記本願インナー１に施した装飾物６が一部露出している。このためインナーとしてブラウスやワイシャツを着用したとほぼ同様の外観が得られている。
【００１１】
前記本願インナー１は、図２の如く、帯状の長尺布地３のほぼ中央部３ａから屈曲３′し、一方の片辺部３ｂの表側Ａが表面となるように、他方の片辺部３ｃの表側Ａに斜めの重ね部４を作って重ねている。該重ね部４の端縁３ｂ′、３ｃ′は、縫着５され、整えられている。
【００１２】
前記屈曲３′は、長尺布地３の中央部３ａを円弧状に折り曲げるだけでもよいが、図２の如く、中央部３ａを底辺としてその両脇から逆三角状に折ることにより着物の襟の如くして頸に馴染み易くなるようにしてもよい。
【００１３】
前記長尺布地３の一方の片辺部３ｂと他方の片辺部３ｃとの重ね部４は、一方の表側Ａを上にして他方の表側Ａに重ねて作るが、図３の如く、一方の片辺部３ｂの表側Ａを上にして他方の片辺部３ｃを捩じって裏側Ｂにし、その上に重ねて作るのはよくない。この場合には、長尺布地３がいわゆる輪（環状）になってしまい、上着のジャケット２との摩擦で頸を中心に回ってしまうからである。すなわち、最近、女性に用いられているいわゆる輪（環状）のストール（頸に２重に巻くもの）とは区別している。
【００１４】
前記長尺布地３の横幅Ｙは、８〜２０ｃｍが良い。８ｃｍより幅狭であるとジャケット２の胸元のあきを充分に埋められないし、２０ｃｍより幅広であると、ジャケット２の胸元のあきに対しては充分であるが、嵩張り感が出てしまうからである。なお、長尺布地３の横幅は常に同じでなくてもよい。頸回りに対応する部分は、布地自体を最初から細く幅狭にすることも、また、端折るように逢着して幅狭にすることもある。一方、長尺布地３の長さは、着用者の身長や体型によっても異なるが、１３０〜１８０ｃｍぐらいあれば良いといえる。目安としては屈曲３′を頸に掛けて両片辺部を胸側に垂らしたときに端縁縫着５がヘソの辺り（ジャケット２の第１ボタンの下ぐらい）になっていれば良い。
【００１５】
前記長尺布地３の材質は、ブラウスやワイシャツで使用される生地で、比較的皺がつきにくく、透けない、縫い易いものが選ばれる。ここに「ブラウス」とは、通常、女性や子供などが着るシャツ風のゆったりした一重仕立ての上着を指すが、スーツやジャケットの着用時にインナーとしても着用される。
【００１６】
前記両辺部３ｂ、３ｃの表面には、それぞれ装飾物６が施されている。該装飾物６としては、飾り襟でもコサージュでもブラウスやワイシャツで使用される生地自体に地模様又は柄を施してもその他でも特に限定しないが、図４には、フリル６ａが、図５には、ボータイ６ｂがそれぞれ示されている。また、装飾物６を施す位置（場所）は自由に決められることは勿論である。
【００１７】
前記フリル６ａの形状には、種々のデザインのものが考えられるが、図４（ａ）では、リボン布を襞状に繰り返し折曲して長尺布地３の片辺部３ｂ、３ｃの内縁３ｂ″、３ｃ″に沿って縫い付けたものが示されている。また、図４（ｂ）には、リボン布の一縁を昆布状に波形に繰り返し裁断して長尺布地３の片辺部３ｂ、３ｃの内縁３ｂ″、３ｃ″に沿って波形裁断部を外にして縫い付けたもの（着用時は立てて使用）が示されている。
【００１８】
前記ボータイ６ｂは、蝶むすび用のネクタイである。該ボータイ６ｂは、長尺布地３の片辺部３ｂ、３ｃの内縁３ｂ″、３ｃ″に沿って縫い付けたものが示されている。通常は、図５（ａ）の如く、両端部６ｂ′、６ｂ′を垂らしたままにあるが、着用時には、両端部６ｂ′、６ｂ′を図５（ｂ）の如く、「蝶むすび」に結んだ状態にすることとなる。なお、図示していないが、前記長尺布地３の重ね部４の交叉部位には、ボタンとボタン穴を設けてもよいし、ホックの雄側と雌側を対向的に設けてもよい。
【００１９】
次に、本願インナーの使用方法を説明する。まず、本願インナー１を、例えば、肌着２′の上から着用する。この着用には、屈曲した中央部３ａを頸に掛け、重ね部４を持つ両辺部３ｂ、３ｃを胸側に垂らす。次いで、端縁の縫着５を顎の真下になるように整える。このうえから、スーツ又はジャケット２を着る。そして、本願インナー１は長尺布地３の各片辺部３ｂ、３ｃが胸部のあきを埋めるとともに各片辺部３ｂ、３ｃに施された装飾物６をスーツ又はジャケットの胸元の開き部分から露出させる。図１は昆布状の波形を立てて使用している。
【００２０】
本願インナー１は、前記長尺布地３は一方の片辺部３ｂの表側Ａが上になるように他方の片辺部３ｃの表側Ａに重ねられ逢着されていても、いわゆる輪になっていないので、この上に着たスーツやジャケットとの摩擦によって頸を中心に回ってしまうことがなく、装飾物６がズレ動くことがない。また、肌着の上からスーツ又はジャケットの胸元の開き部分を埋めるから、肌着を外部に見せないし、ブラウスやワイシャツの如く嵩張らない。ブラウスやワイシャツをインナーとして着用している如く見える上に嵩張ることがなく、ふんわりとした着心地が得られる。しかも、両辺部の表側が斜めに重ねられ、かつ、端縁が縫着されているため、スーツやジャケットとの摩擦で装飾物が首の周囲を回るようにズレ動くということがないなど各種の優れた効果を奏するものである。
【産業上の利用可能性】
【００２１】
本願インナーは、ブラウスやワイシャツの如く前身頃や後身頃や袖もない。それでいてスーツ又はジャケットのインナーとして簡単に、しかもブラウスやワイシャツを綺麗に着ているように見えながら嵩張らない。したがって、服飾の加工業者やアパレル業界などにおいて、広く利用される可能性は高いものである。
【図面の簡単な説明】
【００２２】
【図１】本願インナーをジャケットの下に着用した状態を示す一部切欠斜視図である。
【図２】帯状の長尺生地の中央域を底辺としてその両脇から逆三角状に折った状態を示す平面図である。
【図３】帯状の長尺生地の端部を輪（環状）した場合の斜視図である。
【図４】両辺部にフリルを施した場合の斜視図で（ａ）襞状のフリル（ｂ）は昆布状のフリルである。
【図５】両辺部にボータイを施した場合の斜視図で（ａ）結び前（ｂ）結び後である。
【符号の説明】
【００２３】
１  本願インナー
２  ジャケット（スーツの場合も同じ）
２′  肌着
３  長尺布地
３ａ  中央部
３ｂ  一方の片辺部
３ｃ  他方の片辺部
３ｂ′、３ｃ′  端縁
３ｂ″、３ｃ″  内縁
４  重ね部
５  縫着
６  装飾物
６ａ  フリル
６ｂ  ボータイ
Ａ  表側
Ｂ  裏側
【図１】
2015078472.tif 000003
【図２】
2015078472.tif 000004
【図３】
2015078472.tif 000005
【図４】
2015078472.tif 000006
【図５】
2015078472.tif 000007